(57)【要約】冷却治療装置用のヘッドピースであって、電源手段（２）を有し、患者の皮膚に面する第１の冷気伝導プレート（３）と、冷却手段（５）に接触する第２の熱伝導プレート（４）との２つの伝導プレート（３、４）の間に位置するペルチェ素子（１）と、第１の伝導プレート（３）の温度を測定する温度測定手段（１２）と、を有し、前記ヘッドピース（６）は、ヘッドピース（６）の外部に配置されたインペラーポンプと熱交換器に接続されているヘッドピースにおいて、第１の伝導プレート（３）は低熱伝導率材料がコートされており、第１の伝導プレート（３）に接続され、冷気が患者の皮膚に伝達されている間振動する振動手段（７）を有する。【選択図】図１
2015525592.tif 000002
【特許請求の範囲】
【請求項１】
冷却治療装置用のヘッドピースであって、
電源手段（２）を有し、患者の皮膚に面する第１の冷気伝導プレート（３）と、冷却手段（５）に接触する第２の熱伝導プレート（４）との２つの伝導プレート（３、４）の間に位置するペルチェ素子（１）と、
第１の伝導プレート（３）の温度を測定する温度測定手段（１２）と、を有し、
前記ヘッドピース（６）は、ヘッドピース（６）の外部に配置されたインペラーポンプと熱交換器に接続されているヘッドピースにおいて、
第１の伝導プレート（３）は低熱伝導率材料がコートされており、
第１の伝導プレート（３）に接続され、冷気が患者の皮膚に伝達されている間振動する振動手段（７）を有することを特徴とするヘッドピース。
【請求項２】
低熱伝導率材料は、プラスチック材であることを特徴とする請求項１に記載のヘッドピース。
【請求項３】
振動手段（７）は、偏心器（９）で移動されるシリンダ（８）を有し、前記シリンダ（８）は前記第１の伝導プレート（３）をノックすることを特徴とする請求項１に記載のヘッドピース。
【請求項４】
第１の伝導プレート（３）は空洞（１０）を有し、そこでシリンダ（８）が第１の伝導プレート（３）をノックすることを特徴とする請求項３に記載のヘッドピース。
【請求項５】
第２の伝導プレート（４）は、冷却手段（５）の一部であることを特徴とする請求項１に記載のヘッドピース。
【請求項６】
更に、放熱板（１３）を有することを特徴とする請求項１に記載のヘッドピース。
【発明の詳細な説明】
【技術分野】
【０００１】
本発明は、低温治療装置用のヘッドピースに関する。
【背景技術】
【０００２】
当該技術分野において、肥満及び／又は皮下脂肪を減ずるための方法又は治療として、低温又は冷凍治療を用いた様々な装置が知られている。
【０００３】
２００３年から、ジェネラルホスピタルコーポレーションの名の下で、特許文献１の“制御冷却による脂肪組織の選択的崩壊のための装置”が知られている。この特許は、冷却により非幼児の被験者の脂質豊富な細胞を選択的に崩壊する装置に関係し、被験者の皮膚の局所を冷却し、局所の脂質豊富な細胞を崩壊すると同時に被験者の皮膚を脂質が豊富でない細胞は崩壊させない温度に保ち、脂質豊富な細胞を略-１０℃と略２５℃の間の温度に冷却する冷却手段、冷却手段の温度を制御する温度制御ユニット、被験者の皮膚の温度及び／又は被験者の皮膚内の温度及び／又は被験者の皮膚の表面の温度を測定する温度測定手段を有し、温度制御ユニットは、冷却手段の温度を、被験者の皮膚の温度及び／又は被験者の皮膚内の温度及び/又は被験者の皮膚の表面の温度が、被験者の皮膚の温度及び／又は被験者の皮膚内の温度及び/又は被験者の皮膚の表面の温度に基づいて予め決められた最少温度より下らないように制御することが特徴となっている。
【０００４】
同じ会社からの特許文献２、“制御冷却による脂肪組織の選択的崩壊のための方法”は、上記の特許文献１の分割出願であり、２００３年から知られている。この特許は、皮下脂肪組織の美容上の有効な減少を達成するための非幼児の被験者の腹部及び臀部の一部の選択領域を治療する美容治療方法に関係し、被験者の皮膚の温度又は結晶形成に関連するフィードバック情報を用意するように構成された温度及び／又は結晶形成をモニタする少なくとも１台のフィードバック装置を使用する工程、少なくとも１台のフィードバック装置から受信した情報に基づいて、皮下脂肪組織の減少を望む領域の被験者の皮膚を、脂質の豊富な細胞を選択的に崩壊させる冷却工程、同時に冷却手段に近接する脂質の豊富でない細胞が崩壊しない温度に被験者の皮膚を保つ工程、を有し、脂質の豊富な細胞は略-１０℃と２５℃の間の温度に１０秒から３０分間冷却されるが、皮下脂肪組織の周囲の脂質が豊富でない細胞は崩壊しないことを特徴とする。
【０００５】
上記の２つの特許文献は、効果を上げるために冷却と共に振動装置の使用可能性について言及している。どのように行うかは説明がない。
【０００６】
ルイス・コラル・サンチェス氏の１８９８年からの特許文献３、“APARATO DE TERMOTERAPIA POR FRIO”を含めた現状は、２つの加温プレート間にペルチェ素子を備えた冷却温熱療法装置に関するものである。２つの加温プレートの一方は冷たく、他方は熱を受ける。この後者は、インペラーポンプと熱交換器を備えた冷却液体回路により冷却される。ペルチェ素子と温熱プレートで成るユニットは、装置本体で形成された別々の冷却アプリケータヘッドピースアセンブリを構成する。
【０００７】
最後に、同一出願人の会社は、J.L. VILA BUSQUETS 等の“ELECTROESTETICA、TEORIA Y PRATICA PARA LAUTILIZACION DE CORRIENTE EN ESTETICA」と題する本を後援していることを言及する価値がある。１９８６年２月に発行された初版の１８２頁には、肥満及び／又は皮下脂肪に対する美的治療として、冷凍治療、振動治療、及び圧力治療について示されている。
【先行技術文献】
【特許文献】
【０００８】
【特許文献１】スペイン特許  No.2300569(EP1490005)
【特許文献２】スペイン特許  No.2359581(EP1917935)
【特許文献３】スペイン特許  No.2010938
【発明の概要】
【発明が解決しようとする課題】
【０００９】
この特許出願は、美的な治療を行うために冷却を使用する装置の分野に属する。
【００１０】
最も近い特許文献は、上記の特許文献３である。特許文献３では、ヘッドピース内にペルチェ素子を使用する、美的治療のための冷却生成装置について記載している。
【００１１】
他の２つの特許文献は、同様の原理に基づいており、皮膚の表皮の温度について高いレベル精度で記録を得ている。
【００１２】
最も近い特許文献の問題点は、“熱ショック”と呼ばれる現象が起こることである。すなわち、人体の能力が所定の温度に適合するより早く、装置が所定の温度に到達してしまい、寒さと不快感が増加することである。
【００１３】
この点は、上述した他の２つの特許文献でも考慮されていない。
【００１４】
発明者は、冷気伝導プレートが熱伝導率の低いカバーでコートされた新しいヘッドピースを開発した。これは、冷気が発達し人体がそれに適応することを保証し、患者の皮膚に直接に冷気伝導プレートが触れることを防止し、熱ショックが凍結することに起因する火傷を防止する。
【００１５】
同時に凍結感覚を防止するために、発明者は、冷気伝導プレートを振動させる振動手段を準備した。それ故、冷気が伝達されると同時に、その領域での凍結感覚を減ずる振動が伝達される。
【００１６】
また、その振動は、血流及び毒素の除去を増加させることが観察されている。
【００１７】
更に、冷気のこの漸進的な伝達は、血液によって除去された脂肪細胞を破壊してしまうことが実証されている。
【００１８】
本発明の目的は、冷却治療装置用のヘッドピースを提供することにある。
【課題を解決するための手段】
【００１９】
冷却治療装置用のヘッドピースは、電源手段を有し、患者の皮膚に面する第１の冷気伝導プレートと、冷却手段に接触する第２の熱伝導プレートとの２つの伝導プレート間に位置するペルチェ素子と、第１の伝導プレートの温度を測定する手段と、を有し、ヘッドピースは、ヘッドピースの外部に配置されたインペラーポンプと熱交換器に接続され、第１の伝導プレートは低熱伝導率材料がコートされており、第１の伝導プレートに接続され、冷気が患者の皮膚に伝達されている間振動する振動手段を有することを特徴とする。
【図面の簡単な説明】
【００２０】
【図１】本発明の装置の斜視図である。
【図２】図１でケーシング又はシャーシを取り除いた斜視図である。
【図３】図２で冷却手段及び第２の伝導プレートを取り除き、熱のためのペルチェ素子を残した斜視図である。
【発明を実施するための形態】
【００２１】
説明を促進するため、本明細書は実施例を説明する３枚の図を含むが、本発明の範囲は、これに限定されない。
【００２２】
図１は、ヘッドピース６、電源手段２、シャーシ又はケーシング１１、放熱板１３及び冷却手段のための入口ダクト１４と他の出口ダクト１５を示している。
【００２３】
図２は、電源手段２、冷却手段５のための入口ダクト１４と出口ダクト１５、第１の伝導プレート３、第２の伝導プレート４、シリンダ８を含む振動手段７、偏心器９と空洞１０、及び補強部１６を示す。
【００２４】
最後に、図３は、ペルチェ素子１、電源手段２、温度センサ１２、第１の伝導プレート３、及びシリンダ８と偏心器８と空洞９を有する振動手段７を示す。
【００２５】
実施の形態では、始動する前に、ヘッドピース６の電源手段２のコネクタに、電気端子が接続される。
【００２６】
次に、オペレータは、冷却治療装置をスタートさせる。
【００２７】
ペルチェ素子１がコネクタ２を介して電流を受けると、２つのタイプの反応が起こる。１つは、第１の伝導プレート３に向けられる冷気反応であり、他は、第２の伝導プレート４に向けられる温熱反応である。
【００２８】
本実施の形態では、第２の伝導プレート４は、冷却手段５の一部分である（図２）。第２の伝導プレート４からの熱は、冷却手段５内部を循環する冷却液に移される。そして、冷却液は、出口ダクト１５を介して冷却手段から出る。冷却液は、外管（図示していない）を通ってヘッドピースの外側の熱交換器（図示していない）に導かれる。ここで、冷却液は冷却され、入口ダクト１４を介して冷却手段５に戻る。
【００２９】
別の設定オプションは、最も近い特許文献に記載されている一つである。そこでは、第２の伝導プレート４と冷却手段５は、２つの別々の本体を持つが、冷却手段５は第２の伝導プレート４に接触しており、第２の伝導プレート４からの熱の冷却手段５への移動が達成される。
【００３０】
冷気は、例えば金属から成る第１の伝導プレート３に伝達されるが、温度は伝導プレートの温度より低く、治療に依存して-５℃と１５℃の間である。そして、その温度は温度センサ１２により制御される。
【００３１】
特に、第１の伝導プレート３は、ヘッドピース６全体とすることもできるが、プラスチック材料等の低伝導率材料でコートされている。これは、発明者は第１の伝導プレート３の急速冷却に起因する熱ショック、及び患者にとって不快な感覚を生じる患者の皮膚との接触を避けたいからである。
【００３２】
更に、コーティングにより、患者は、赤みやハイパー感覚の原因となる第１の伝導プレート３に直接に接触することがない。
【００３３】
使用者の皮膚が所定の温度に徐々に到達することを確保することにより、前述の不快感は消える。
【００３４】
同時に振動手段７は、シリンダ８が偏心器９のベース上を回転し、第１の伝導プレート３内の空洞１０をノックするよう動作を開始する。すると、第１の伝導プレート３が振動し、この振動が患者の皮膚に伝わることとなる。
【００３５】
この振動は患者の皮膚上の凍結感覚を除去する。そして、患者は治療の質が向上していると感じる。
【００３６】
第１の伝導プレート３を介して冷凍治療と振動治療を同時に組み合わせることの他の有利な効果は、振動と冷気により血流が増加することである。
【００３７】
最後に、振動により凍結され又は部分的に凍結される脂肪細胞は、分離され毒素として取り除かれる。
【００３８】
必要に応じて、放熱板１３は、第１の伝導プレート３が作用する反対側に取り付け、必要であれば熱治療するようにしても良い。
【００３９】
この特許出願は、低温治療装置用の新しいヘッドピースについて述べている。ここに記載の実施例は、本発明を限定するものではなく、本発明は、クレームの範囲内で、異なる応用及び／又は適応を有するものである。
【図１】
2015525592.tif 000003
【図２】
2015525592.tif 000004
【図３】
2015525592.tif 000005
【国際調査報告】
2015525592.tif 000006
2015525592.tif 000007
2015525592.tif 000008
2015525592.tif 000009
2015525592.tif 000010
2015525592.tif 000011